【手続補正書】
【提出日】平成20年1月24日(2008.1.24)
【手続補正１】
【補正対象書類名】明細書
【補正対象項目名】発明の名称
【補正方法】変更
【補正の内容】
【発明の名称】光走査装置及びそれを有する画像形成装置
【手続補正２】
【補正対象書類名】明細書
【補正対象項目名】特許請求の範囲
【補正方法】変更
【補正の内容】
【特許請求の範囲】
【請求項１】  光源手段と、前記光源手段から発せられた光束を集光する第１の結像光学系と、前記第１の結像光学系を通過した光束を偏向する偏向手段と、前記偏向手段の偏向面にて偏向された光束を被走査面上に光走査し、被走査面上にスポットとして結像させる第２の結像光学系とを有する光走査装置において、
前記第１の結像光学系及び第２の結像光学系に含まれる光学素子のうち少なくとも１つは、前記光学素子の光軸について位置の異なる複数の表面に設けられている前記光学素子の光軸の位置を規定する位置決め基準を少なくとも２つ有することを特徴とする光走査装置。
【請求項２】  前記第１の結像光学系又は／及び第２の結像光学系を収納する光学フレームは、前記光学素子の位置決め基準に対応した少なくとも２つ位置決め部を有し、
前記少なくとも２つ位置決め基準のうち第１の位置決め基準が、前記光学フレームの複数の位置決め部のうち第１の位置決め部に当接し位置決めされ、前記光学フレームの複数の位置決め基準のうち第２の位置決め基準に当接しない位置に位置決めされていることを特徴とする請求項１に記載の光走査装置。
【請求項３】  前記光学素子は前記光学フレームの２つの位置決め部の間に設定されていることを特徴とする請求項２に記載の光走査装置。
【請求項４】  前記光学素子は合成樹脂製より成ることを特徴とする請求項１乃至３の何れか一項に記載の光走査装置。
【請求項５】  前記光学素子の位置決め基準は、前記光軸の入射面側の面および出射面側の面に形成されていることを特徴とする請求項１乃至４の何れか一項に記載の光走査装置。
【請求項６】  前記光学素子は、前記光学素子の入射面側にある前記光学素子の光軸の位置を規定する位置決め基準を入射面側の前記光学フレームの位置決め部に当接し位置決めされているか、出射面側にある前記光学素子の光軸の位置を規定する位置決め基準を出射面側の前記光学フレームの位置決め部に当接し位置決めされているか、前記光学フレームの位置決め部には当接せずに入射面側と出射面側の位置決め部の間に位置決めされていることを特徴とする請求項５に記載の光走査装置。
【請求項７】  前記光学素子は、前記光学素子の入射面側と出射面側に前記光学素子の光軸の位置を規定する位置決め基準を夫々２つずつ備えていることを特徴とする請求項６に記載の光走査装置。
【請求項８】  請求項１乃至７の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴とする画像形成装置。
【請求項９】  請求項１乃至７のいずれか１項に記載の光走査装置と、外部機器から入力したコードデータを画像信号に変換して前記光走査装置に入力せしめるプリンタコントローラとを有していることを特徴とする画像形成装置。
【手続補正３】
【補正対象書類名】明細書
【補正対象項目名】０００１
【補正方法】変更
【補正の内容】
【０００１】
【発明の属する技術分野】
本発明は光走査装置及びそれを有する画像形成装置に関し、特に光源手段から出射した光束を偏向手段により反射偏向させ、結像光学系を介して被走査面上を光走査して画像情報を記録するようにした、例えば電子写真プロセスを有するレーザービームプリンタや、デジタル複写機等の装置に好適なものである。
【手続補正４】
【補正対象書類名】明細書
【補正対象項目名】０００９
【補正方法】変更
【補正の内容】
【０００９】
本発明は光学素子のピント調整の簡略化を図り、調整に掛かる部品点数の削減、ならびに調整時間の短縮化を図ることによって組立に掛かるコストを削減することができる光走査装置及びそれを有する画像形成装置の提供を目的とする。
【手続補正５】
【補正対象書類名】明細書
【補正対象項目名】００１０
【補正方法】変更
【補正の内容】
【００１０】
【課題を解決するための手段】
請求項１の発明の光走査装置は、光源手段と、前記光源手段から発せられた光束を集光する第１の結像光学系と、前記第１の結像光学系を通過した光束を偏向する偏向手段と、前記偏向手段の偏向面にて偏向された光束を被走査面上に光走査し、被走査面上にスポットとして結像させる第２の結像光学系とを有する光走査装置において、
前記第１の結像光学系及び第２の結像光学系に含まれる光学素子のうち少なくとも１つは、前記光学素子の光軸について位置の異なる複数の表面に設けられている前記光学素子の光軸の位置を規定する位置決め基準を少なくとも２つ有することを特徴としている。
【手続補正６】
【補正対象書類名】明細書
【補正対象項目名】００１１
【補正方法】変更
【補正の内容】
【００１１】
請求項２の発明は請求項１の発明において、前記第１の結像光学系又は／及び第２の結像光学系を収納する光学フレームは、前記光学素子の位置決め基準に対応した少なくとも２つ位置決め部を有し、
前記少なくとも２つ位置決め基準のうち第１の位置決め基準が、前記光学フレームの複数の位置決め部のうち第１の位置決め部に当接し位置決めされ、前記光学フレームの複数の位置決め基準のうち第２の位置決め基準に当接しない位置に位置決めされていることを特徴としている。
【手続補正７】
【補正対象書類名】明細書
【補正対象項目名】００１２
【補正方法】変更
【補正の内容】
【００１２】
請求項３の発明は請求項２の発明において、前記光学素子は前記光学フレームの２つの位置決め部の間に設定されていることを特徴としている。
【手続補正８】
【補正対象書類名】明細書
【補正対象項目名】００１３
【補正方法】変更
【補正の内容】
【００１３】
請求項４の発明は請求項１乃至３の何れか一項の発明において、前記光学素子は合成樹脂製より成ることを特徴としている。
【手続補正９】
【補正対象書類名】明細書
【補正対象項目名】００１４
【補正方法】変更
【補正の内容】
【００１４】
請求項５の発明は請求項１乃至４の何れか一項の発明において、前記光学素子の位置決め基準は、前記光軸の入射面側の面および出射面側の面に形成されていることを特徴としている。
【手続補正１０】
【補正対象書類名】明細書
【補正対象項目名】００１５
【補正方法】変更
【補正の内容】
【００１５】
請求項６の発明は請求項５の発明において、前記光学素子は、前記光学素子の入射面側にある前記光学素子の光軸の位置を規定する位置決め基準を入射面側の前記光学フレームの位置決め部に当接し位置決めされているか、出射面側にある前記光学素子の光軸の位置を規定する位置決め基準を出射面側の前記光学フレームの位置決め部に当接し位置決めされているか、前記光学フレームの位置決め部には当接せずに入射面側と出射面側の位置決め部の間に位置決めされていることを特徴としている。
【手続補正１１】
【補正対象書類名】明細書
【補正対象項目名】００１６
【補正方法】変更
【補正の内容】
【００１６】
請求項７の発明は請求項６の発明において、前記光学素子は、前記光学素子の入射面側と出射面側に前記光学素子の光軸の位置を規定する位置決め基準を夫々２つずつ備えていることを特徴としている。
【手続補正１２】
【補正対象書類名】明細書
【補正対象項目名】００１７
【補正方法】変更
【補正の内容】
【００１７】
請求項８の発明の画像形成装置は、請求項１乃至７の何れか一項に記載の光走査装置と、前記被走査面に配置された感光体と、前記光走査装置で走査された光束によって前記感光体の上に形成された静電潜像をトナー像として現像する現像器と、現像されたトナー像を被転写材に転写する転写手段と、転写されたトナー像を被転写材に定着させる定着器とを有することを特徴としている。
【手続補正１３】
【補正対象書類名】明細書
【補正対象項目名】００１８
【補正方法】変更
【補正の内容】
【００１８】
請求項９の発明の画像形成装置は、請求項１乃至７のいずれか１項に記載の光走査装置と、外部機器から入力したコードデータを画像信号に変換して前記光走査装置に入力せしめるプリンタコントローラとを有していることを特徴としている。
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】削除
【補正の内容】
【手続補正２０】
【補正対象書類名】明細書
【補正対象項目名】００２５
【補正方法】削除
【補正の内容】
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】
【手続補正３０】
【補正対象書類名】明細書
【補正対象項目名】００３５
【補正方法】削除
【補正の内容】
【手続補正３１】
【補正対象書類名】明細書
【補正対象項目名】００５１
【補正方法】変更
【補正の内容】
【００５１】
位置決め部１４ａ・１４ｃの光軸９方向の間隔ＬはＬ＝３.７ｍｍであり、シリンドリカルレンズ２の位置決め基準１２ａ・１２ｂの光軸９方向の間隔Ｍ＝３.３ｍｍよりも広い（Ｌ＞Ｍ）。このとき図４(Ａ)に示したようにシリンドリカルレンズ２の入射面側の位置決め基準（第１の位置決め基準）１２ａを光源手段側の光学フレーム８の位置決め部（第１の位置決め部）１４ａに当接してシリンドリカルレンズ２を配置すれば、図４(Ｂ)に示したようにシリンドリカルレンズ２の出射面側の位置決め基準（第２の位置決め基準）１２ｂをポリゴンミラー側の光学フレーム８の位置決め部（第２の位置決め部）１４ｃに当接させた位置まで、ポリゴンミラー側（出射面側）に０.４ｍｍ調整可能であり、記録媒体面上での副走査方向のスポット径を所望の値に調整することができる。
【手続補正３２】
【補正対象書類名】明細書
【補正対象項目名】０１１９
【補正方法】変更
【補正の内容】
【０１１９】
【発明の効果】
本発明によれば前述の如く第１及び第２の結像光学系に含まれる光学素子のうち少なくとも１つに、該光学素子の光軸方向の位置を規定する位置決め基準を複数組設けることにより、光学素子のピント調整の簡略化を図ることができ、また調整時間の短縮化を図ることによって組立に掛かるコストを削減することができる光走査装置及びそれを有する画像形成装置を達成することができる。